(57)【要約】【課題】停電操作票の作成には、作成者の経験や能力が必要であると共に、シーケンス図を解読して作成する必要があるために、時間を要するという課題があった。【解決手段】電力系統内の遮断器の開閉状態を記憶した開閉状態記憶手段１０と、前記遮断器の開閉状態及び各系統の通電状態を系統図上に表示する系統図表示手段１と、表示された前記系統図から停電させる系統を選択する停電系統選択手段２と、選択した系統を停電系統に切り替える操作手順を表示する操作手順表示手段４と、表示した操作手順に基づいて遮断器を模擬操作する模擬操作手段５とからなる作業停電操作支援システム。【選択図】図１
2008043163.tif 000002
【特許請求の範囲】
【請求項１】
電力系統内の遮断器の開閉状態を記憶した開閉状態記憶手段と、前記遮断器の開閉状態及び各系統の通電状態を系統図上に表示する系統図表示手段と、表示された前記系統図から停電させる系統を選択する停電系統選択手段と、選択した系統を停電系統に切り替える操作手順を表示する操作手順表示手段と、表示した操作手順に基づいて遮断器を模擬操作する模擬操作手段とからなる作業停電操作支援システム。
【請求項２】
前記模擬操作手段が各遮断器の操作可否の前提となる前提条件を記憶した前提条件記憶手段を備え、遮断器操作の前提条件と前記開閉状態記憶手段に記憶された遮断器の開閉状態を比較して遮断器の操作可否を判定するようにした請求項１に記載の作業停電操作支援システム。
【請求項３】
前記操作手順表示手段が各遮断器の操作可否の前提となる前提条件を記憶した前提条件記憶手段を備え、遮断器操作の前提条件と前記開閉状態記憶手段に記憶された遮断器の開閉状態に基づいて選択した系統を停電系統に切り替える操作手順を自動作成するようにした請求項１に記載の作業停電操作支援システム。
【請求項４】
前記模擬操作手段が、選択した系統を停電系統に切り替える操作手順を修正する操作手順修正手段を備えた請求項１乃至３の何れかに記載の作業停電操作支援システム。
【請求項５】
前記系統図表示手段が、模擬操作の各操作項目において操作した遮断器と各系統の通電状態を表示するようにした請求項１乃至４の何れかに記載の作業停電操作支援システム。
【請求項６】
前記系統図表示手段が、模擬操作の各操作項目において操作前の通電状態と操作後の通電状態を比較して表示するようにした請求項１乃至５の何れかに記載の作業停電操作支援システム。
【請求項７】
前記模擬操作手段において操作手順を確認後に選択した系統を停電系統に自動的に切り替える自動操作手段を備えた請求項１乃至６の何れかに記載の作業停電操作支援システム。
【請求項８】
前記自動操作手段が前記遮断器のインターロック操作を自動で行うようにした請求項７に記載の作業停電操作支援システム。
【発明の詳細な説明】
【技術分野】
【０００１】
本発明は、電力系統において作業停電操作前に停電切替操作をシミュレーションする作業停電操作支援システムに関する。
【背景技術】
【０００２】
発電所において定期検査を実施するときには、検査対象の系統を停電系統に切り替える作業停電操作を行う必要がある。この作業停電操作を安全且つ確実に行うために、予め操作手順である停電操作票を作成している。従来、停電操作票は、過去の定期検査時における停電操作票を参考にして、定期検査毎の検査対象を踏まえた停電範囲を系統図で確認しながら作成していた。
【０００３】
また、コンピュータ上で作業停電範囲を特定し、開閉器の操作手順を作成するようにした作業停電操作手順作成装置は知られている（例えば、特許文献１〜３参照）。
【０００４】
【特許文献１】特開２００４−１３５３９４号公報
【特許文献２】特開平９−１４００５８号公報
【特許文献３】特開平７−１９４０３２号公報
【発明の開示】
【発明が解決しようとする課題】
【０００５】
しかし、停電操作票の作成には、作成者の経験や能力が必要であると共に、シーケンス図を解読して作成する必要があるために、時間を要するという課題があった。
また、特許文献１〜３に記載の作業停電操作手順作成装置は、適切な作業停電範囲を特定するのには役立つが、停電操作票の作成及び作業停電操作に要する工数を削減して、迅速且つ確実に作業停電操作を行うことができないという課題が残っていた。
【課題を解決するための手段】
【０００６】
本発明は、上記課題を解決するために、電力系統内の遮断器の開閉状態を記憶した開閉状態記憶手段と、前記遮断器の開閉状態及び各系統の通電状態を系統図上に表示する系統図表示手段と、表示された前記系統図から停電させる系統を選択する停電系統選択手段と、選択した系統を停電系統に切り替える操作手順を表示する操作手順表示手段と、表示した操作手順に基づいて遮断器を模擬操作する模擬操作手段とからなる作業停電操作支援システムを提供するものである。
【０００７】
本発明は、前記模擬操作手段が各遮断器の操作可否の前提となる前提条件を記憶した前提条件記憶手段を備え、遮断器操作の前提条件と前記開閉状態記憶手段に記憶された遮断器の開閉状態を比較して遮断器の操作可否を判定するようにした請求項１に記載の作業停電操作支援システムを提供するものである。
【０００８】
本発明は、前記操作手順表示手段が各遮断器の操作可否の前提となる前提条件を記憶した前提条件記憶手段を備え、遮断器操作の前提条件と前記開閉状態記憶手段に記憶された遮断器の開閉状態に基づいて選択した系統を停電系統に切り替える操作手順を自動作成するようにした請求項１に記載の作業停電操作支援システムを提供するものである。
【０００９】
本発明は、前記模擬操作手段が、選択した系統を停電系統に切り替える操作手順を修正する操作手順修正手段を備えた請求項１乃至３の何れかに記載の作業停電操作支援システムを提供するものである。
【００１０】
本発明は、前記系統図表示手段が、模擬操作の各操作項目において操作した遮断器と各系統の通電状態を表示するようにした請求項１乃至４の何れかに記載の作業停電操作支援システムを提供するものである。
【００１１】
本発明は、前記系統図表示手段が、模擬操作の各操作項目において操作前の通電状態と操作後の通電状態を比較して表示するようにした請求項１乃至５の何れかに記載の作業停電操作支援システムを提供するものである。
【００１２】
本発明は、前記模擬操作手段において操作手順を確認後に選択した系統を停電系統に自動的に切り替える自動操作手段を備えた請求項１乃至６の何れかに記載の作業停電操作支援システムを提供するものである。
【００１３】
本発明は、前記自動操作手段が前記遮断器のインターロック操作を自動で行うようにした請求項７に記載の作業停電操作支援システムを提供するものである。
【発明の効果】
【００１４】
本発明に係る作業停電操作支援システムによれば、電力系統内の遮断器の開閉状態を記憶した開閉状態記憶手段と、前記遮断器の開閉状態及び各系統の通電状態を系統図上に表示する系統図表示手段と、表示された前記系統図から停電させる系統を選択する停電系統選択手段と、選択した系統を停電系統に切り替える操作手順を表示する操作手順表示手段と、表示した操作手順に基づいて遮断器を模擬操作する模擬操作手段とからなる構成を有することにより、電力系統内の遮断器の開閉状態及び各系統の通電状態を系統図上で確認しながら適切な停電系統を選択することができ、表示された操作手順と遮断器の模擬操作によって選択した系統が安全に切り替わることを確認することができる。また、表示された操作手順に基づいて確実に作業停電操作を行うことができる効果がある。
【００１５】
本発明は、前記模擬操作手段が各遮断器の操作可否の前提となる前提条件を記憶した前提条件記憶手段を備え、遮断器操作の前提条件と前記開閉状態記憶手段に記憶された遮断器の開閉状態を比較して遮断器の操作可否を判定するようにした請求項１に記載の構成を有することにより、経験の浅い操作者でも遮断器操作の前提条件の成立や実操作の可否を迅速かつ確実に把握することができ、遮断器の誤操作による他の系統の停電や事故等の問題発生を防止することができる効果がある。
【００１６】
本発明は、前記操作手順表示手段が各遮断器の操作可否の前提となる前提条件を記憶した前提条件記憶手段を備え、遮断器操作の前提条件と前記開閉状態記憶手段に記憶された遮断器の開閉状態に基づいて選択した系統を停電系統に切り替える操作手順を自動作成するようにした請求項１に記載の構成を有することにより、遮断器操作の前提条件を満たした操作手順を自動作成することができ、迅速且つ確実に作業停電操作を行うことができる効果がある。
【００１７】
本発明は、前記模擬操作手段が、選択した系統を停電系統に切り替える操作手順を修正する操作手順修正手段を備えた請求項１乃至３の何れかに記載の構成を有することにより、表示された操作手順を変更することができると共に、変更した操作手順に基づいて電力系統内の遮断器の開閉状態及び各系統の通電状態を系統図上で確認することができる効果がある。
【００１８】
本発明は、前記系統図表示手段が、模擬操作の各操作項目において操作した遮断器と各系統の通電状態を表示するようにした請求項１乃至４の何れかに記載の構成を有することにより、各操作段階において操作した遮断器と各系統の通電状態を把握することができ、系統を安全に切り替えることができる効果がある。
【００１９】
本発明は、前記系統図表示手段が、模擬操作の各操作項目において操作前の通電状態と操作後の通電状態を比較して表示するようにした請求項１乃至５の何れかに記載の構成を有することにより、各操作の前後における系統の通電状態の変化を一目で把握することができ、操作可否の判断を容易にすることができる効果がある。
【００２０】
本発明は、前記模擬操作手段において操作手順を確認後に選択した系統を停電系統に自動的に切り替える自動操作手段を備えた請求項１乃至６の何れかに記載の構成を有することにより、作業停電操作に要する工数を大幅に低減することができると共に、誤操作によるトラブルを防止することができる効果がある。
【００２１】
本発明は、前記自動操作手段が前記遮断器のインターロック操作を自動で行うようにした請求項７に記載の構成を有することにより、遮断器のインターロック操作も自動で行うことができ、選択した系統を確実に停電系統に切り替えて維持することができる効果がある。
【発明を実施するための最良の形態】
【００２２】
本発明の実施の形態を図示する実施例に基づいて説明する。
本発明に係る作業停電操作支援システムは、電力系統内の遮断器の開閉状態を記憶した開閉状態記憶手段１０と、前記遮断器の開閉状態及び各系統の通電状態を系統図上に表示する系統図表示手段１と、表示された前記系統図から停電させる系統を選択する停電系統選択手段２と、選択した系統を停電系統に切り替える操作手順を表示する操作手順表示手段４と、表示した操作手順に基づいて遮断器を模擬操作する模擬操作手段５とから構成してある。
【実施例１】
【００２３】
図１に示す実施例において、作業停電操作支援システムは、開閉状態記憶手段１０と系統図表示手段１と停電系統選択手段２と操作手順表示手段４と模擬操作手段５を備えたパーソナルコンピュータ等からなる。
【００２４】
開閉状態記憶手段１０は、電力系統内の遮断器データを格納してあり、各遮断器の開閉状態を記憶することができるように構成してある。また、開閉状態記憶手段１０は、図示しない遮断器開閉制御装置から各遮断器の開閉状態を受け取って、最新の開閉状態に更新することができるようにしてある。図示の実施例において、作業停電操作支援システムは、各遮断器の操作可否の前提となる前提条件を記憶した前提条件記憶手段１１を備えている。
【００２５】
系統図表示手段１は、開閉状態記憶手段１０に記憶された電力系統内の遮断器の開閉状態に基づいて、図７に示すように遮断器の開閉状態及び各系統の通電状態を系統図上に表示することができるように構成してある。系統図表示手段１は、電力系統全体を表示することができると共に、任意のエリアを表示することが可能である。図７乃至図１５において、白抜四角形は開状態の遮断器を表し、黒色四角形は閉状態の遮断器を表している。また、黒色実線は通電系統を表し、灰色実線は停電系統を表している。
【００２６】
停電系統選択手段２は、図３に示すように、系統図表示手段１に表示された系統図上で停電させる系統をクリックして選択することができるように構成してある。停電系統選択手段２は、タッチパネル又はカーソルで系統をクリックして選択することができる。また、停電系統選択手段２は、系統番号を直接入力して系統を選択することも可能である。停電系統選択手段２は、図８に示すように、選択した系統の線種・色を変更表示して、選択した範囲を容易に確認することができるようにしてある。
【００２７】
操作手順表示手段４は、図４乃至図６に示すように、停電系統選択手段２で選択した系統を停電系統に切り替える操作手順を系統図表示手段１の系統図と同一画面に表示することができるように構成してある。また、操作手順表示手段４は、操作項目毎に操作手順と系統図を並べて表示し、各操作段階における遮断器の開閉状態及び各系統の通電状態を表示することができるようにしてある。
【００２８】
図１に示す実施例において、操作手順表示手段４は、操作手順作成手段３を備えている。操作手順作成手段３は、前提条件記憶手段１１に記憶された遮断器操作の前提条件と、開閉状態記憶手段１０に記憶された遮断器の開閉状態に基づいて、選択した系統を停電系統に切り替える操作手順を自動で作成することができるように構成してある。また、操作手順作成手段３は、過去に作成した操作手順を記憶する記憶手段を備え、選択された系統の過去の操作手順を参考表示することもできる。
【００２９】
模擬操作手段５は、操作手順表示手段４で表示した操作手順に基づいて遮断器を模擬操作するようにしてある。模擬操作手段５は、模擬操作の各操作項目において系統図上に操作した遮断器を点滅表示させると共に、停電系統に切り替わった系統の色・線種を変えて表示し、停電範囲を容易に確認することができるように構成してある。
また、模擬操作手段５は、図６に示すように、各操作項目において操作前の通電状態と操作後の通電状態を並べて表示し、操作前後における遮断器の開閉状態及び各系統の通電状態の変更箇所を比較表示することも可能である。
【００３０】
図１に示す実施例において、模擬操作手段５は、判定手段６を備えている。判定手段６は、前提条件記憶手段１１に記憶された遮断器操作の前提条件と、開閉状態記憶手段１０に記憶された遮断器の開閉状態を比較し、各操作における遮断器の操作可否を判定することができるように構成してある。判定手段６は、遮断器の操作を不能と判定したときに、判定結果及び前提条件が不成立の箇所を表示するようにしてある。
なお、操作手順表示手段４が操作手順作成手段３を備えている場合には、操作手順作成過程において遮断器の操作可否を判断していることから、判定手段を設けない構成にすることも勿論可能である。
【００３１】
また、模擬操作手段５は、選択した系統を停電系統に切り替える操作手順を修正する操作手順修正手段７を備えている。操作手順修正手段７は、判定手段６が遮断器の操作を不能と判定したときに前提条件を満たすように操作手順を修正したり、模擬操作手段５で確認した系統の通電状態を変更するために操作手順を修正したりすることができる。模擬操作手段５は、操作手順修正手段７で操作手順を修正した操作項目について、修正後の操作手順に基づいて遮断器を模擬操作することができるように構成してある。
【００３２】
図１に示す実施例において、作業停電操作支援システムは、模擬操作手段５において操作手順を確認後に、選択した系統を停電系統に自動的に切り替える自動操作手段８を備えている。自動操作手段８は、図６に示すように、操作ボタンをクリックすることにより、操作手順表示手段４で表示した操作手順に基づいて遮断器を自動的に操作することができるように構成してある。また、自動操作手段は、遮断器のインターロック操作をモータ駆動等により自動で行うことができるようにしてある。
【００３３】
次に、本発明に係る作業停電操作支援システムの作用を図２、図９乃至図１５に基づいて説明する。
系統図表示手段１は、図７に示すように、開閉状態記憶手段１０に記憶された電力系統内の遮断器の開閉状態に基づいて、現在の遮断器の開閉状態及び各系統の通電状態を系統図上に表示する。図７において「停電系統選択」ボタンをクリックすると停電系統選択手段２へ移行する。停電系統選択手段２において、系統図上で停電させる系統をクリックして選択すると、図８に示すように、停電系統選択手段２は選択した系統の線種・色を変更表示し、選択した範囲を容易に確認することができる。このとき、複数の系統を選択することも勿論可能である。
【００３４】
図８において「手順書作成」ボタンをクリックすると操作手順作成手段３へ移行する。操作手順作成手段３は、遮断器操作の前提条件と遮断器の開閉状態に基づいて、選択した系統を停電系統に切り替える操作手順を自動作成し、図９に示すように、操作手順表示手段４によって操作手順書と系統図を並べて表示する。操作手順の内容を確認後、「シミュレーション実行」ボタンをクリックすると模擬操作手段５へ移行する。
【００３５】
模擬操作手段５は、操作手順表示手段４で表示した操作手順に基づいて遮断器を模擬操作し、図１０乃至図１４に示すように、各操作項目において操作内容と系統図を並べて表示する。また、模擬操作手段５は、系統図上に操作した遮断器を点滅表示させると共に、通電状態が変わった系統の色・線種を変えて表示し、変更箇所を容易に確認することができる。
【００３６】
図１０に示すように、模擬操作手段５は遮断器Ａの投入模擬操作を実行すると、遮断器Ａを点滅表示すると共に、新たに通電状態になった系統を破線表示して、操作箇所及び通電範囲を確認することができる。確認後に「次項目」ボタンをクリックすると、図１１に示すように、次操作項目である遮断器Ｂの投入模擬操作が実行される。
【００３７】
図１２に示すように、模擬操作手段５は遮断器Ｃの開放模擬操作を実行すると、遮断器Ｃを点滅表示して、系統Ｇの受電設備が切り替わったことを確認することができる。確認後に「次項目」ボタンをクリックすると、図１３に示すように、次操作項目である遮断器Ｄの開放模擬操作が実行される。模擬操作手段５は遮断器Ｄを点滅表示すると共に、新たに停電状態になった系統を破線表示して、操作箇所及び停電範囲を確認することができる。
【００３８】
図１４は、模擬操作手段５が全ての操作項目を模擬操作したときの表示画面を示している。停電系統選択手段２で選択した系統が停電系統に切り替わったことを確認して「シミュレーション終了」ボタンをクリックすると、判定手段６は各操作項目について操作可否の判定をして、結果を図１５に示す画面に表示する。図１５において、「実機操作実行」ボタンをクリックすると、自動操作手段８は操作手順に基づいて遮断器を自動的に操作して、停電系統選択手段２で選択した系統を停電系統に切り替えることができる。
【００３９】
また、何れかの操作項目において、遮断器操作の前提条件や系統の通電範囲等に不具合がある場合には、操作手順修正手段７で該当の操作手順を修正し、修正後の操作手順において模擬操作を再実行することができる。
【図面の簡単な説明】
【００４０】
【図１】本発明に係る作業停電操作支援システムの一実施例を示す構成図。
【図２】その一実施例の動作を示すフローチャート。
【図３】その一実施例の停電系統選択手段を示す図。
【図４】その一実施例の操作手順表示手段を示す図。
【図５】その一実施例の模擬操作の一例を示す図。
【図６】その一実施例の模擬操作の一例を示す図。
【図７】その一実施例の動作の一例を示す図。
【図８】その一実施例の動作の一例を示す図。
【図９】その一実施例の動作の一例を示す図。
【図１０】その一実施例の動作の一例を示す図。
【図１１】その一実施例の動作の一例を示す図。
【図１２】その一実施例の動作の一例を示す図。
【図１３】その一実施例の動作の一例を示す図。
【図１４】その一実施例の動作の一例を示す図。
【図１５】その一実施例の動作の一例を示す図。
【符号の説明】
【００４１】
１  系統図表示手段
２  停電系統選択手段
３  操作手順作成手段
４  操作手順表示手段
５  模擬操作手段
６  判定手段
７  操作手順修正手段
８  自動操作手段
１０  開閉状態記憶手段
１１  前提条件記憶手段
【図１】
2008043163.tif 000003
【図２】
2008043163.tif 000004
【図３】
2008043163.tif 000005
【図４】
2008043163.tif 000006
【図５】
2008043163.tif 000007
【図６】
2008043163.tif 000008
【図７】
2008043163.tif 000009
【図８】
2008043163.tif 000010
【図９】
2008043163.tif 000011
【図１０】
2008043163.tif 000012
【図１１】
2008043163.tif 000013
【図１２】
2008043163.tif 000014
【図１３】
2008043163.tif 000015
【図１４】
2008043163.tif 000016
【図１５】
2008043163.tif 000017